(57)【要約】【課題】  患者のプライバシーを保護しつつ、患者が移動していない場合でも、常に患者の健康状態を把握できるようにする。【解決手段】  温度により異なる色の画像を出力するサーモグラフィーカメラ１により撮影された画像から所定の温度以上の部分を抽出した人物画像と無人の病室内を通常のカメラ８にて撮影した背景画像とを合成するようにしているので、温度分布として患者の画像が表示され、患者のプライバシーを保護しつつ、患者が移動していない場合でも、看護師などは、患者の体温を見ることで患者の健康状態を常に把握することができる。【選択図】        図１
2007089727.tif 000002
【特許請求の範囲】
【請求項１】
無人の病室内を通常のカメラにて撮影した画像を背景画像として記憶する記憶部と、
前記通常のカメラにて撮影された前記病室内の同じ場所を同じ方向から撮影すると共に、温度により異なる色の画像を出力するサーモグラフィーカメラと、
前記サーモグラフィーカメラより出力された画像から所定の温度以上の部分を抽出して前記背景画像に合成して監視画像を生成する監視画像生成部と、
を備えたことを特徴とする監視装置。
【請求項２】
病室内を撮影して通常画像を出力する通常のカメラと、
前記通常のカメラにて撮影された前記病室内の同じ場所を同じ方向から撮影すると共に、温度により異なる色の画像を出力するサーモグラフィーカメラと、
前記サーモグラフィーカメラより出力された画像から所定の温度以上の部分を抽出して前記通常画像に合成して監視画像を生成する監視画像生成部と、
を備えたことを特徴とする監視装置。
【請求項３】
前記監視画像生成部は、前記サーモグラフィーカメラより出力された画像から所定の温度範囲の部分を抽出することを特徴とする請求項１又は請求項２に記載の監視装置。
【発明の詳細な説明】
【技術分野】
【０００１】
本発明は、病院における患者の行動を監視する監視装置に関する。
【背景技術】
【０００２】
従来、病院に入院している患者の行動を看護師などが把握するために、病室内に患者を撮影するカメラを設置して、カメラにより撮影された画像をナースステーションなどに設置したモニターなどに表示していた。しかしながら、カメラにより撮影された画像がモニターなどにそのまま映し出されると、患者のプライバシーが侵害されてしまうという問題点があった。
【０００３】
なお、カメラにより撮影された患者の画像をシルエットにして、色付けし、名前等の情報と共に表示する技術が知られている（例えば、特許文献１など）。
【特許文献１】特開２００４−７８３４４号公報
【０００４】
しかしながら、この特許文献１に記載の技術では、看護師などは、モニターなどに表示されるシルエットを見ることで患者の移動を把握することはできるが、患者が移動していない場合には、患者が自分の意志で動かないのか、健康状態が悪化しているために動けないのかを判断することができず、患者の健康状態を把握することができないという問題点があった。
【発明の開示】
【発明が解決しようとする課題】
【０００５】
本発明は、このような問題を解決するために成されたものであり、患者のプライバシーを保護しつつ、患者が移動していない場合でも、常に患者の健康状態を把握できるようにすることを目的とする。
【課題を解決するための手段】
【０００６】
上述した課題を解決するために、本発明では、温度により異なる色の画像を出力するサーモグラフィーカメラにより撮影された画像から所定の温度以上の部分を抽出して、無人の病室内を通常のカメラにて撮影した背景画像に合成するようにしている。また、本発明の他の態様によれば、温度により異なる色の画像を出力するサーモグラフィーカメラにより撮影された画像から所定の温度以上の部分を抽出して、病室内を撮影する通常のカメラから出力される画像に合成するようにしている。
【発明の効果】
【０００７】
上記のように構成した本発明によれば、温度分布として患者の画像が表示されるので、患者のプライバシーを保護しつつ、患者が移動していない場合でも、看護師などは、患者の体温を見ることで患者の健康状態を常に把握することができる。また、本発明の他の態様によれば、前述した効果に加えて、通常のカメラにより撮影された画像に患者の顔などの露出した部分のみが合成されるので、プライバシーの保護を効率的に行うことができる。また、患者の体温が所定の温度以下となった場合には、通常のカメラにより撮影された画像に患者の顔などの露出した部分が合成されなくなるので、健康状態が悪化した患者を瞬時に特定することができる。
【発明を実施するための最良の形態】
【０００８】
以下、本発明の一実施形態を図面に基づいて説明する。図１は、本実施形態による監視装置の構成例を示すブロック図である。図１に示すように、本実施形態による監視装置は、サーモグラフィーカメラ１、画像入力部２、記憶部３、監視画像生成部４、モニター５を備えて構成されている。ここで、サーモグラフィーカメラ１は、患者が居る病室６内などに設置されている。また、画像入力部２、記憶部３、監視画像生成部４、モニター５は、患者を監視する看護師などが居るナースステーション７などに設置されている。
【０００９】
通常のカメラ８は、病室６内に設置されており、病室６内を事前に（例えば、病室に患者が入室する前などの無人の状態で）撮影する。図１において、通常のカメラ８により撮影された画像は、背景画像データとして画像入力部２に入力する。記憶部３は、画像入力部２より背景画像データを入力して記憶する。また、記憶部３は、通常のカメラ８を識別するための識別データ（例えば、病室番号やカメラ番号など）も入力する。記憶部３では、入力した背景画像データが識別データに関連付けて記憶される。
【００１０】
なお、病室６内の複数の病床を撮影するために病室６内に複数の通常のカメラ８が設置されている場合には、識別データとして病床番号を使用するようにしても良い。また、病室６内の複数の病床を撮影するために病室６内の通常のカメラ８が複数の方向を撮影する場合には、識別データとして撮影した方向毎に設定される方向番号や病床番号を使用するようにしても良い。また、通常のカメラ８は、背景画像を撮影するときのみ病室６に設置されるようにしても良い。
【００１１】
サーモグラフィーカメラ１は、温度により異なる色の画像として撮影した画像データを出力するものである。ここで、サーモグラフィーカメラ１は、前述した通常のカメラ８と同じ場所を撮影するように病室６内に設置されている。また、サーモグラフィーカメラ１は、前述した通常のカメラ８と同様の識別データを画像データと共に出力する。
【００１２】
画像入力部２は、サーモグラフィーカメラ１から出力された識別データ及び画像データを入力する。監視画像生成部４は、画像入力部２から識別データ及び画像データを入力する。また、監視画像生成部４は、画像データから所定の温度（例えば、２９度など）以上の部分を抽出して人物画像データを生成する。なお、監視画像生成部４は、画像データから所定の温度範囲（例えば、２９度から４０度までなど）の部分を抽出するようにしても良い。
【００１３】
監視画像生成部４は、画像入力部２から入力した識別データに基づいて、記憶部３から背景画像データを抽出する。そして、監視画像生成部４は、記憶部３から抽出した背景画像データに人物画像データを合成して監視画像データを生成する。
【００１４】
モニター５は、監視画像生成部４から出力された監視画像データを入力して表示する。ナースセンター７に居る看護師などは、モニター５に表示される監視画像データを見ることにより、病室６内の患者の体温の状態を把握する。
【００１５】
次に、本実施形態による監視装置の動作及び監視画像表示方法を説明する。図２は、本実施形態による監視装置の動作及び監視画像表示方法を示すフローチャートである。まず、画像入力部２が病室６内に設置されたサーモグラフィーカメラ１から画像データを入力したか否かを監視画像生成部４にて調べる（ステップＳ１）。画像入力部２がサーモグラフィーカメラ１から画像データを入力していないと監視画像生成部４にて判断した場合には（ステップＳ１にてＮＯ）、ステップＳ１の処理を繰り返す。
【００１６】
一方、画像入力部２がサーモグラフィーカメラ１から画像データを入力したと監視画像生成部４にて判断した場合には（ステップＳ１にてＹＥＳ）、監視画像生成部４は、画像データから所定の温度以上の部分を抽出して人物画像データを生成する（ステップＳ２）。そして、監視画像生成部４は、サーモグラフィーカメラ１から画像入力部２に入力した画像データと共に入力した識別データをキーとして、サーモグラフィーカメラ１から入力した画像データに対応する背景画像データが記憶部３に記憶されているか否かを調べる（ステップＳ３）。対応する背景画像データが記憶部３に記憶されていないと監視画像生成部４にて判断した場合には（ステップＳ３にてＮＯ）、処理を終了する。なお、本実施形態では、対応する背景画像データが記憶部３に記憶されていない場合に処理を終了しているが、これに限定されない。例えば、対応する背景画像データが記憶部３に記憶されていない場合でも処理を続行し、人物画像データのみをモニター５に表示するようにしても良い。
【００１７】
一方、対応する背景画像データが記憶部３に記憶されていると監視画像生成部４にて判断した場合には（ステップＳ３にてＹＥＳ）、監視画像生成部４は、対応する背景画像データを記憶部３から読み出して、背景画像データに人物画像データ（ステップＳ２にて生成）を合成して監視画像データを生成する（ステップＳ４）。監視画像生成部４は、生成した監視画像データをモニター５に出力し、モニター５に内蔵された図示しない表示制御部は、監視画像をモニター５に表示する（ステップＳ５）。これにより、監視画像生成部４は、温度分布により患者を示す人物画像が病室６内の背景画像に合成された監視画像をナースステーション７に設置されたモニター５に表示する。
【００１８】
以上詳しく説明したように、本実施形態によれば、温度により異なる色の画像を出力するサーモグラフィーカメラ１により撮影された画像から所定の温度以上の部分を抽出した人物画像と無人の病室内を通常のカメラ８にて撮影した背景画像とを合成するようにしている。これにより、温度分布として患者の画像が表示されるので、患者のプライバシーを保護しつつ、患者が移動していない場合でも、看護師などは、患者の体温を見ることで患者の健康状態を常に把握することができる。
【００１９】
なお、前述した実施形態では、通常のカメラ８は、病室６内が無人の状態であるときに撮影して背景画像として出力しているが、これに限定されない。例えば、通常のカメラとサーモグラフィーカメラとを同じ病室の同じ場所を同じ方向から撮影するように設置し、通常のカメラにより撮影された通常画像にサーモグラフィーカメラにより撮影された画像から所定の温度以上の部分を抽出した人物画像データを合成するようにしても良い。
【００２０】
具体的には、図３に示すように、サーモグラフィーカメラ１１と通常のカメラ１２とは、病室６内の同じ場所を同じ方向から撮影するように設置されている。サーモグラフィーカメラ１１は、温度により異なる色の画像として撮影した画像データを出力する。ここで、サーモグラフィーカメラ１１は、前述した実施形態と同様に識別データを画像データと共に出力する。通常のカメラ１２により撮影された画像は、病室６内を撮影して通常画像データを出力する。ここで、通常のカメラ１２も識別データを出力する。また、サーモグラフィーカメラ１１により病室６内の患者が撮影された場合には、通常のカメラ１２でも同様に病室６内の患者が撮影される。
【００２１】
画像入力部１３は、サーモグラフィーカメラ１１から出力された識別データ及び画像データを入力し、通常のカメラ１２から出力された識別データ及び通常画像データを入力する。監視画像生成部１４は、画像入力部１３から各識別データ及び各画像データを入力する。また、監視画像生成部１４は、サーモグラフィーカメラ１１より入力した画像データから所定の温度（例えば、２９度など）以上の部分を抽出して人物画像データを生成する。なお、監視画像生成部１４は、画像データから所定の温度範囲（例えば、２９度から４０度までなど）の部分を抽出するようにしても良い。
【００２２】
監視画像生成部１４は、サーモグラフィーカメラ１１から入力した識別データに基づいて、画像入力部１３に入力した通常画像データを抽出する。そして、監視画像生成部１４は、抽出した通常画像データに人物画像データを合成して監視画像データを生成する。ここで、人物画像データは、通常画像データをマスクするように表面に重ねられる。
【００２３】
モニター１５は、監視画像生成部１４から出力された監視画像データを入力して表示する。ナースセンター７に居る看護師などは、モニター１５に表示される監視画像データを見ることにより、病室６内の患者の体温の状態を把握する。ここで、患者の健康状態が悪化して、患者の体温が所定の温度よりも下がった場合には、人物画像データが存在しなくなるので、通常画像に人物画像が合成されなくなり、通常画像がそのままモニター１５に表示されることとなる。これにより、看護師などは、健康状態が悪化した患者を瞬時に特定することができる。
【００２４】
また、患者が着衣している部分は、患者の顔部分などに比べて温度が低くなるので、通常画像がマスクされなくなる。これにより、プライバシーを保護する際に重要な患者の顔部分がマスクされ、プライバシーの保護が効率的に行われるようになる。
【００２５】
図４は、前述した監視装置の変形例の動作及び監視画像表示方法を示すフローチャートである。まず、画像入力部１３が病室６内に設置されたサーモグラフィーカメラ１１及び通常のカメラ１２から画像データを入力したか否かを監視画像生成部１４にて調べる（ステップＳ１１）。画像入力部１３が各カメラ１１，１２から画像データを入力していないと監視画像生成部１４にて判断した場合には（ステップＳ１１にてＮＯ）、ステップＳ１１の処理を繰り返す。
【００２６】
一方、画像入力部１３が各カメラ１１，１２から画像データを入力したと監視画像生成部１４にて判断した場合には（ステップＳ１１にてＹＥＳ）、監視画像生成部１４は、画像データから所定の温度以上の部分を抽出して人物画像データを生成する（ステップＳ１２）。そして、監視画像生成部１４は、通常のカメラ１２から画像入力部１３に入力した通常画像データに対して、人物画像データ（ステップＳ１２にて生成）を合成して監視画像データを生成する（ステップＳ１３）。監視画像生成部１４は、生成した監視画像データをモニター１５に出力し、モニター１５に内蔵された図示しない表示制御部は、監視画像をモニター１５に表示する（ステップＳ１４）。これにより、監視画像生成部１４は、温度分布により患者を示す人物画像が病室６内の背景画像に合成された監視画像をナースステーション７に設置されたモニター１５に表示する。
【００２７】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００２８】
本発明は、病院における患者の行動を監視する監視装置に有用である。例えば、監視装置は、ナースコール装置などに適用される。
【図面の簡単な説明】
【００２９】
【図１】本実施形態による監視装置の構成例を示すブロック図である。
【図２】本実施形態による監視装置の動作及び監視画像表示方法を示すフローチャートである。
【図３】本実施形態による監視装置の変形例を示すブロック図である。
【図４】本実施形態による監視装置の変形例の動作及び監視画像表示方法を示すフローチャートである。
【符号の説明】
【００３０】
１，１１    サーモグラフィーカメラ
２，１３    画像入力部
３    記憶部
４，１４    監視画像生成部
５，１５    モニター
６    病室
７    ナースステーション
８，１２    通常のカメラ
【図１】
2007089727.tif 000003
【図２】
2007089727.tif 000004
【図３】
2007089727.tif 000005
【図４】
2007089727.tif 000006